(57)【要約】【課題】良好な収差が得られる光ピックアップ装置を提供することを目的とする。【解決手段】記録媒体に所定の波長λの光を集光させる対物レンズと、光源から出射した所定の波長の光を略平行光として前記対物レンズに入射させるコリメートレンズと、を備える光ピックアップであって、対物レンズは、対物レンズの傾きが１度のときに発生する3次コマ収差の発生量をCMLとし、１度の軸外光が入射したときに発生する3次コマ収差の発生量をCMFとしたとき、式（１）を満たし、前記コリメートレンズは、前記コリメートレンズの傾きが１度のときに発生する3次コマ収差をCMCとしたときに、式（２）を満たす。|CML|+|CMF|＜0.03λ・・・（１）0.02λ＜|CMC|＜0.14λ・・・（２）【選択図】図１
2014211921.tif 000002
【特許請求の範囲】
【請求項１】
記録媒体に所定の波長λの光を集光させる対物レンズと、光源から出射した前記所定の波長の光を略平行光として前記対物レンズに入射させるコリメートレンズと、を備える光ピックアップであって、
前記対物レンズは、
前記対物レンズの傾きが１度のときに発生する3次コマ収差の発生量をCMLとし、
１度の軸外光が入射したときに発生する3次コマ収差の発生量をCMFとしたとき、
|CML|+|CMF|＜0.03λ
を満たし、
前記コリメートレンズは、
前記コリメートレンズの傾きが１度のときに発生する3次コマ収差をCMC
としたときに
0.02λ＜|CMC|＜0.14λ
を満たす、光ピックアップ。
【請求項２】
前記記録媒体の傾きが１度のときに発生する3次コマ収差の発生量をCMDとしたとき、
以下の関係を満たす請求項１に記載の光ピックアップ。
|CMD|＜0.02λ
|CML|+|CMF|+|CMD|＜0.06λ
【請求項３】
前記所定の波長λは、３８０〜４３０ｎｍであり、
開口数は、０．８以上であり、
前記対物レンズの焦点距離は１．３ｍｍ以下の単レンズからなる、
請求項１〜２に記載の光ピックアップ。
【発明の詳細な説明】
【技術分野】
【０００１】
光により記録媒体に情報を記録・再生あるいは消去を行う光ピックアップに関し、特に、テープ状の記録媒体に適した光ピックアップに関する。
【背景技術】
【０００２】
従来の光記録再生装置としては、例えばコンパクトディスク、ビデオディスク、あるいは光磁気ディスク等のディスク状の媒体に情報を記録し、再生するものが一般的である。
【０００３】
上記の記録再生装置においては、光スポットの径は回折限界程度まで絞られているため、記録密度のこれ以上の向上は望めない。近年、波長４００ｎｍ近傍の青色レーザ光を用いて光ディスクの記録密度を高めることによって、記憶容量を大きくした高密度光ディスクの規格（Ｂｌｕ−Ｒａｙ（Ｒ））（以下ＢＤ）の研究・開発が活発に行われているが、使用する材料の制約からこれ以上波長を短くすることは難しい。
【０００４】
光情報記録媒体の記録容量は、記録面積に依存するが、ディスク状の記録媒体の場合には大きさに限界があり、記録容量が制限される。
【０００５】
そこで、より大容量の媒体として、記録面積が大きいテープ状の記録媒体を使用することが提案されている。
【先行技術文献】
【特許文献】
【０００６】
【特許文献１】特開昭６２−２７３６３４号公報
【発明の概要】
【発明が解決しようとする課題】
【０００７】
テープ状の記録媒体に対して記録・再生あるいは消去を行う場合、記録媒体の記録層に対して所望の波長の光を良好なスポットで集光する必要がある。良好なスポットを得るためには記録層での収差が良好である必要がある。
【０００８】
しかし、光学部材や光源が理想的な状態に対して傾いていたり、ずれたりすると収差が発生する。
【０００９】
また光学部材や光源が理想的な状態に設置されていたとしても、対物レンズの成形で誤差がある場合は収差が発生する。
【００１０】
収差が大きく発生すると記録媒体に対して記録・再生あるいは消去を行うための十分な性能が得られない。
【００１１】
そこで本発明は、良好な収差が得られる光ピックアップを提供することを目的とする。
【課題を解決するための手段】
【００１２】
上記課題を解決する光ピックアップは、記録媒体に所定の波長λの光を集光させる対物レンズと、光源から出射した前記所定の波長の光を略平行光として前記対物レンズに入射させるコリメートレンズと、を備える光ピックアップであって、前記対物レンズは、前記対物レンズの傾きが１度のときに発生する3次コマ収差の発生量をCMLとし、１度の軸外光が入射したときに発生する3次コマ収差の発生量をCMFとしたとき、
|CML|+|CMF|＜0.03λ
を満たし、
前記コリメートレンズは、前記コリメートレンズの傾きが１度のときに発生する3次コマ収差をCMCとしたときに
0.02λ＜|CMC|＜0.14λ
を満たす。
【発明の効果】
【００１３】
本発明によれば、使用する波長の光を記録媒体に対して良好な収差で集光することができる。
【図面の簡単な説明】
【００１４】
【図１】光ピックアップ１００の構成を示す概略図
【図２】実施例１の対物レンズの特性を示すグラフ
【図３】実施例１の対物レンズの特性を示すグラフ
【図４】実施例１のコリメートレンズの特性を示すグラフ
【図５】実施例２の光学系全体の特性を示すグラフ
【図６】実施例２の対物レンズの特性を示すグラフ
【図７】実施例２の対物レンズの特性を示すグラフ
【図８】実施例２のコリメートレンズの特性を示すグラフ
【図９】実施例２の光学系全体の特性を示すグラフ
【図１０】実施例３の対物レンズの特性を示すグラフ
【図１１】実施例３の対物レンズの特性を示すグラフ
【図１２】実施例３のコリメートレンズの特性を示すグラフ
【図１３】実施例３の光学系全体の特性を示すグラフ
【図１４】実施例４の対物レンズの特性を示すグラフ
【図１５】実施例４の対物レンズの特性を示すグラフ
【図１６】実施例４のコリメートレンズの特性を示すグラフ
【図１７】実施例４の光学系全体の特性を示すグラフ
【図１８】実施例５の対物レンズの特性を示すグラフ
【図１９】実施例５の対物レンズの特性を示すグラフ
【図２０】実施例５のコリメートレンズの特性を示すグラフ
【図２１】実施例５の光学系全体の特性を示すグラフ
【図２２】実施例６の対物レンズの特性を示すグラフ
【図２３】実施例６の対物レンズの特性を示すグラフ
【図２４】実施例６のコリメートレンズの特性を示すグラフ
【図２５】実施例６の光学系全体の特性を示すグラフ
【図２６】実施例７の対物レンズの特性を示すグラフ
【図２７】実施例７の対物レンズの特性を示すグラフ
【図２８】実施例７のコリメートレンズの特性を示すグラフ
【図２９】実施例７の光学系全体の特性を示すグラフ
【図３０】実施例８の対物レンズの特性を示すグラフ
【図３１】実施例８の対物レンズの特性を示すグラフ
【図３２】実施例８のコリメートレンズの特性を示すグラフ
【図３３】実施例８の光学系全体の特性を示すグラフ
【図３４】実施例９の対物レンズの特性を示すグラフ
【図３５】実施例９の対物レンズの特性を示すグラフ
【図３６】実施例９の対物レンズの特性を示すグラフ
【図３７】実施例９の対物の特性を示すグラフ
【図３８】実施例９のコリメートレンズの特性を示すグラフ
【図３９】実施例９の光学系全体の特性を示すグラフ
【発明を実施するための形態】
【００１５】
＜実施の形態１＞
以下、図面を参照しながら実施の形態１に係る対物レンズ１０について説明する。
【００１６】
［光ピックアップ］
図１は、光ピックアップ１００の構成を示す概略図である。光ピックアップ１００は、対物レンズ１０と、コリメートレンズ２０と、ビームスプリッタ３０と、光検出器４０と、レーザ光源５０を備える。光ピックアップ１００は、光テープ２００の情報記録層の所定の位置にレーザ光を集光させることで、情報の記録や再生を行う。
【００１７】
レーザ光源５０は、波長λ（３８０〜４３０ｎｍ）の青色レーザ光を出射する。レーザ光源５０から出射されたレーザ光は、ビームスプリッタ３０を透過した後、コリメートレンズ２０によって略平行光に変換される。コリメートレンズ２０を透過したレーザ光は、対物レンズ１０に入射し、光テープ２００の情報記録面上に集光されて良好なスポットを形成する。光テープ２００の再生を行う場合、光テープ２００の情報記録面によって反射されたレーザ光は、再び対物レンズ１０を透過した後、コリメートレンズ２０に入射する。コリメートレンズを透過した光は前記ビームスプリッタによって反射された後、検出レンズによって光検出器４０上に集光され、光信号として検出される。
【００１８】
［光テープ］
光テープ２００は、光情報記録媒体の一例である。光テープ２００は、図１に示すように、２つのリール２０１に巻き付けられており、リール２０１を回転させることで、光テープ２００が走行する。
【００１９】
光テープ２００の材料としては、摺動性のよいポリエステル樹脂やアクリル樹脂等の樹脂材料が用いられる。樹脂材料は、例えば押し出し成形などにより薄いテープ状に成形される。
【００２０】
光テープ２００の表面には、トラッキング用のグルーブが形成されている。このグルーブは、円筒形のスタンパによって形成される。円筒形のスタンパの表面には、所望のグルーブの形状の反転形状が形成されている。このスタンパを記録媒体に押し付けて、所望の形状をテープ状の材料に転写する。スタンパは円筒形なので、樹脂を押し出し成形した後で順次連続的にグルーブの転写を行うことができるため効率が良い。
【００２１】
光テープ２００の表面には、情報を記録するための記録層が設けられている。記録層の材料としては、集光する光のエネルギーにより原子の結合状態が局所的に変化する相変化材料が用いられる。相変化材料は使用する波長に応じて選ばれる。例えば、波長４００ｎｍ付近の光を用いる場合、ＢＤ−ＲＥ（Ｂｌｕ−ｒａｙ  Ｄｉｓｃ  Ｒｅｗｒｉｔａｂｌｅ）などに使われるＧｅＳｂＴｅ系の材料やＡｇＩｎＳｂＴｅ系の材料などが用いられる。相変化材料はスパッタリングで記録媒体の表面に膜状に形成される。記録層は、記録媒体の押し出し成形、グルーブ形成に続いて順次スパッタ装置に入れることで連続的に形成できる。
【００２２】
記録層の上には必要に応じて記録層の保護や摺動性の向上のための薄いカバー膜が設けられる。すなわち、光テープ２００の記録面上にカバー層が設けられていなくてもよく、カバー層が設けられていてもよい。光テープ２００の記録面上にカバー層を設ける場合は、カバー膜は使用する波長を透過する材料により形成される。このような材料は、例えばＵＶ硬化性樹脂が用いられる。ＵＶ硬化性樹脂であれば塗布と硬化を連続して行うことができるため生産性に優れる。カバー層の厚みは１０ｕｍ以下であることが望ましい。このようにカバー層の厚みを薄くすることにより光テープが記録・再生・消去時の理想的な状態から傾いた時の収差の発生を抑えられる。さらに、カバー層の厚みは数１０ｎｍ以下であることが望ましい。このようにカバー層の厚みをさらに薄くすることにより光テープが記録・再生・消去時の理想的な状態から傾いた時の収差は非常に小さくなる。
【００２３】
［対物レンズおよびコリメートレンズ］
対物レンズ１０は、波長λ（３８０−４３０ｎｍ）の青色レーザ光を光テープ２００の情報記録面上に集光してスポットを形成する。対物レンズ１０の入射側、射出側の光学機能面は光軸を中心とした非球面形状で構成されている。
【００２４】
対物レンズ１０の材料としては、ガラス材料が用いられる。ガラス材料を用いることで光ピックアップの温度変化による性能の変化が抑えることができる。
【００２５】
対物レンズ１０の焦点距離は、１．３ｍｍ以下であることが望ましい。このように焦点距離を短くすることにより対物レンズ１０自体の大きさを小さくすることができる。その結果、この対物レンズ１０が搭載された光ピックアップの小型化も可能となる。また、対物レンズ１０の焦点距離は０．６５ｍｍ以上であることが望ましい。焦点距離が０．６５ｍｍよりも小さい場合、対物レンズ１０と光テープ２００との間の作動距離が短くなりすぎてしまい、動作中に接触してしまうおそれがある。焦点距離を０．６５ｍｍ以上にすることで、対物レンズ１０と光テープ２００との間の作動距離を十分確保することができ、動作中に接触してしまう可能性を低くすることができる。
【００２６】
また、対物レンズ１０の開口数は、０．８以上である。そのため、光ピックアップ１００は、高い記録密度を実現することができる。しかし、一般的には開口数が大きいほど対物レンズ１０が傾いたときの３時コマ収差が大きくなる。そこで、本実施形態の対物レンズ１０は後述する構成を備えることにより、良好な収差を実現することができる。
【００２７】
本実施形態の対物レンズ１０は、対物レンズ１０の傾きが１度のときに発生する3次コマ収差の発生量をCMLとし、１度の軸外光が入射したときに発生する3次コマ収差の発生量をCMFとしたとき、下記式（１）を満たす。
【００２８】
【数１】
2014211921.tif 000003
【００２９】
また、本実施形態のコリメートレンズ２０は、レーザ光源から射出する波長λ（３８０−４３０ｎｍ）の青色光を略平行光にして対物レンズ１０に入射させる。コリメートレンズの入射側、射出側の光学機能面は光軸を中心とした非球面形状で構成されている。
【００３０】
コリメートレンズの材料にはガラス材料を用いる。ガラス材料を用いることで光ピックアップの温度変化による性能の変化が抑えられる。
【００３１】
そして、本実施の形態のコリメートレンズ２０は、コリメートレンズ２０の傾きが１度のときに発生する3次コマ収差をCMCとしたときに、下記式（２）を満たす。
【００３２】
【数２】
2014211921.tif 000004
【００３３】
一般に対物レンズは成形時の誤差などで対物レンズの一方の面の非球面形状の対称軸が、もう一方の面の対称軸に対して傾いてしまう（以下これを面チルトと呼ぶ）ことで主に３次コマ収差が大きく発生する。
【００３４】
BDなどの光ディスク用の対物レンズでは、対物レンズを傾けることで３次コマ収差を発生させるように設計することがある。すなわち、対物レンズに発生した面チルトを、対物レンズを傾けることで十分に小さくなるように補正している。しかし、本実施の形態の対物レンズ単体ではそれができない。
【００３５】
そこで本実施形態の光ピックアップは式（１）と式（２）を満たすことで、対物レンズ１０が面チルトを持っていたとしても、コリメートレンズ２０を基準光軸に対して傾けることで３次のコマ収差を十分に小さい値に補正できる。
【００３６】
ここで対物レンズ１０の傾きとは、基準光軸に対して対物レンズ１０の光軸が傾いている状態のことを言う。基準光軸とは、光ピックアップ１００の集光光学系における適正な光軸、すなわち設計上の光軸のことをいう。基準光軸は、設計時または組み立て時のコリメートレンズ２０や、対物レンズ１０を保持するレンズホルダのレンズ設置面の垂線などを基準として用いる場合がある。
【００３７】
また、軸外光とは、対物レンズ１０に入射する光束の光軸が、基準光軸に対して傾いている光のことを言う。
【００３８】
また、本実施形態の光ピックアップは、光テープ２００の傾きが１度のときに発生する3次コマ収差の発生量をCMDとしたとき、下記式（３）および（４）を満たすことが望ましい。
【００３９】
【数３】
2014211921.tif 000005
【００４０】
【数４】
2014211921.tif 000006
【００４１】
これによって、対物レンズ１０が傾いても、光源が光軸に対して傾いていても良好な収差が得られるとともに、光テープ２００が傾いても良好な収差が得られる光ピックアップを実現することができる。
【００４２】
ここで記録媒体の傾きとは、基準光軸の垂直面に対する記録媒体の傾きを指す。
【実施例】
【００４３】
（実施例１）
実施例１の対物レンズ、コリメートレンズは第１面、第2面ともに非球面形状である。実施例１の対物レンズは波長４０８ｎｍの青色レーザ光を用いて光情報記録媒体の最表面の記録層に対して情報の記録再生を行う対物レンズである。実施例１のコリメートレンズはレーザ光源から射出する波長４０８ｎｍの青色レーザ光を略平行光にして前記対物レンズに入射させる。
【００４４】
表１に、実施例１に係る対物レンズおよびコリメートレンズのコンストラクションデータを示す。
【００４５】
【表１】
2014211921.tif 000007
【００４６】
以下、本実施例のコンストラクションデータにおいて、第１面、第２面はそれぞれ以下の式５で定義される非球面形状の屈折光学面である。
【００４７】
【数５】
2014211921.tif 000008
【００４８】
ここで、
Ｘ：光軸からの高さがｈである非球面状の点の非球面頂点の接平面からの距離、
ｈ：光軸からの高さ、
Ｃ：面の非球面頂点の曲率（Ｃ＝１／ＲＤ）、
ｋ：面の円錐定数、
Ａｎ：面のｎ次の非球面定数
である。
【００４９】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【００５０】
図２に、実施例１の対物レンズを基準光軸に対して傾けたときの特性（以下レンズチルト特性と呼ぶ）を示す。
【００５１】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0012λであり、これは式（１）を満たす。
【００５２】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これは、式（３）と式（４）を満たす。
【００５３】
図３に、実施例１の対物レンズの面チルト特性を示す。
【００５４】
実施例１のコリメートレンズはコリメートレンズの第1面から6mm離れた波長４０８ｎｍのレーザ光源からの発散光を対物レンズに対してほぼ平行に入射させるように設計されている。図４に、このコリメートレンズのレンズチルト特性を示す。
【００５５】
コリメートレンズの傾きが１度のときに発生する3次コマ収差CMCは0.0395λであり、これは式（２）を満たす。
【００５６】
図５に、対物レンズの0.5分の面チルトで発生する収差を、このコリメートレンズを傾けることで、光学系全体の収差を補正する様子を示す。
【００５７】
対物レンズが0.5分面チルトすることで約0.0158λの波面収差が発生していたが、コリメートレンズを約0.5度傾けることで波面収差は約0.0087λに改善する。また対物レンズが0.5分面チルトすることで約0.0149λの3次コマ収差が発生していたが、コリメートレンズを約0.5度傾けることで3次コマ収差は約0.0010λに改善する。このように、傾けることでコマ収差が発生するコリメートレンズを併せて使用することで、対物レンズの製造誤差を補正することができるため、製造が容易になり、同時に良好な性能を得られるようになる。
【００５８】
（実施例２）
実施例２の対物レンズ、コリメートレンズは第１面、第2面ともに非球面形状である。実施例２の対物レンズは波長４０８ｎｍの青色レーザ光を用いて光情報記録媒体の最表面の記録層に対して情報の記録再生を行う対物レンズである。実施例２のコリメートレンズはレーザ光源から射出する波長４０８ｎｍの青色レーザ光を略平行光にして前記対物レンズに入射させる。
【００５９】
表２に、実施例２に係る対物レンズおよびコリメートレンズのコンストラクションデータを示す。
【００６０】
【表２】
2014211921.tif 000009
【００６１】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【００６２】
図６に、実施例２の対物レンズのレンズチルト特性を示す。
【００６３】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0012λであり、これは式（１）を満たす。
【００６４】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【００６５】
図７に、この対物レンズの面チルト特性を示す。
【００６６】
実施例２のコリメートレンズはコリメートレンズの第1面から12mm離れた波長４０８ｎｍのレーザ光源からの発散光を対物レンズに対してほぼ平行に入射させるように設計されている。図８に、このコリメートレンズのレンズチルト特性を示す。
【００６７】
コリメートレンズの傾きが１度のときに発生する3次コマ収差CMCは0.0609λであり、これは式（２）を満たす。
【００６８】
図９に、対物レンズの0.5分の面チルトで発生する収差を、このコリメートレンズを傾けることで、光学系全体の収差を補正する様子を以下に示す。
【００６９】
対物レンズが0.5分面チルトすることで約0.0183λの波面収差が発生していたが、コリメートレンズを約0.4度傾けることで波面収差は約0.0081λに改善する。また対物レンズが0.5分面チルトすることで約0.0170λの3次コマ収差が発生していたが、コリメートレンズを約0.4度傾けることで3次コマ収差は約0.0019λに改善する。このように、傾けることでコマ収差が発生するコリメートレンズを併せて使用することで、対物レンズの製造誤差を補正することができるため、製造が容易になり、同時に良好な性能を得られるようになる。
【００７０】
（実施例３）
実施例３の対物レンズ、コリメートレンズは第１面、第2面ともに非球面形状である。実施例３の対物レンズは波長４０８ｎｍの青色レーザ光を用いて光情報記録媒体の最表面の記録層に対して情報の記録再生を行う対物レンズである。実施例１のコリメートレンズはレーザ光源から射出する波長４０８ｎｍの青色レーザ光を略平行光にして前記対物レンズに入射させる。
【００７１】
表３に、実施例３に係る対物レンズおよびコリメートレンズのコンストラクションデータを示す。
【００７２】
【表３】
2014211921.tif 000010
【００７３】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【００７４】
図１０に、実施例３の対物レンズのレンズチルト特性を示す。
【００７５】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0018λであり、これは式（１）を満たす。
【００７６】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【００７７】
図１１に、この対物レンズの面チルト特性を示す。
【００７８】
実施例３のコリメートレンズはコリメートレンズの第1面から6mm離れた波長４０８ｎｍのレーザ光源からの発散光を対物レンズに対してほぼ平行に入射させるように設計されている。図１２に、このコリメートレンズのレンズチルト特性を示す。
【００７９】
コリメートレンズの傾きが１度のときに発生する3次コマ収差CMCは0.0395λであり、これは式（２）を満たす。
【００８０】
図１３に、対物レンズの0.5分の面チルトで発生する収差を、このコリメートレンズを傾けることで、光学系全体の収差を補正する様子を示す。
【００８１】
対物レンズが0.5分面チルトすることで約0.0341λの波面収差が発生していたが、コリメートレンズを約0.5度傾けることで波面収差は約0.0299λに改善する。また対物レンズが0.5分面チルトすることで約0.0166λの3次コマ収差が発生していたが、コリメートレンズを約0.6度傾けることで3次コマ収差は約0.0009λに改善する。このように、傾けることでコマ収差が発生するコリメートレンズを併せて使用することで、対物レンズの製造誤差を補正することができるため、製造が容易になり、同時に良好な性能を得られるようになる。
【００８２】
（実施例４）
実施例４の対物レンズ、コリメートレンズは第１面、第2面ともに非球面形状である。実施例４の対物レンズは波長４０８ｎｍの青色レーザ光を用いて光情報記録媒体の最表面の記録層に対して情報の記録再生を行う対物レンズである。実施例１のコリメートレンズはレーザ光源から射出する波長４０８ｎｍの青色レーザ光を略平行光にして前記対物レンズに入射させる。
【００８３】
表４に、実施例４に係る対物レンズおよびコリメートレンズのコンストラクションデータを示す。
【００８４】
【表４】
2014211921.tif 000011
【００８５】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【００８６】
図１４に、実施例４の対物レンズのレンズチルト特性を示す。
【００８７】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0018λであり、これは式（１）を満たす。
【００８８】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【００８９】
図１５に、この対物レンズの面チルト特性を示す。
【００９０】
実施例４のコリメートレンズはコリメートレンズの第1面から12mm離れた波長４０８ｎｍのレーザ光源からの発散光を対物レンズに対してほぼ平行に入射させるように設計されている。図１６に、このコリメートレンズのレンズチルト特性を示す。
【００９１】
コリメートレンズの傾きが１度のときに発生する3次コマ収差CMCは0.0609λであり、これは式（２）を満たす。
【００９２】
図１７に、対物レンズの0.5分の面チルトで発生する収差を、このコリメートレンズを傾けることで、光学系全体の収差を補正する様子を示す。
【００９３】
対物レンズが0.5分面チルトすることで約0.0379λの波面収差が発生していたが、コリメートレンズを約0.4度傾けることで波面収差は約0.0330λに改善する。また対物レンズが0.5分面チルトすることで約0.0191λの3次コマ収差が発生していたが、コリメートレンズを約0.4度傾けることで3次コマ収差は約0.0004λに改善する。このように、傾けることでコマ収差が発生するコリメートレンズを併せて使用することで、対物レンズの製造誤差を補正することができるため、製造が容易になり、同時に良好な性能を得られるようになる。
【００９４】
（実施例５）
実施例５の対物レンズ本実施例の対物レンズの第１面は非球面形状である。本実施例の第２面は非球面形状にさらに以下の式６で表される形状を付加したものである。コリメートレンズは第１面、第2面ともに非球面形状である。実施例１の対物レンズは波長４０８ｎｍの青色レーザ光を用いて光情報記録媒体の最表面の記録層に対して情報の記録再生を行う対物レンズである。実施例１のコリメートレンズはレーザ光源から射出する波長４０８ｎｍの青色レーザ光を略平行光にして前記対物レンズに入射させる。
【００９５】
表５に、実施例５に係る対物レンズおよびコリメートレンズのコンストラクションデータを示す。
【００９６】
【表５】
2014211921.tif 000012
【００９７】
【数６】
2014211921.tif 000013
【００９８】
ここで
Ｒ，θ：第２面の回転対称非球面の中心軸を中心とする極座標（Ｒ，θ）における回転対称非球面上の座標
である。
【００９９】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【０１００】
図１８に、実施例５の対物レンズのレンズチルト特性を示す。
【０１０１】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0042λであり、これは式（１）を満たす。
【０１０２】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【０１０３】
図１９に、この対物レンズの面チルト特性を示す。
【０１０４】
実施例５のコリメートレンズはコリメートレンズの第1面から6mm離れた波長４０８ｎｍのレーザ光源からの発散光を対物レンズに対してほぼ平行に入射させるように設計されている。図２０に、このコリメートレンズのレンズチルト特性を示す。
【０１０５】
コリメートレンズの傾きが１度のときに発生する3次コマ収差CMCは0.0395λであり、これは式（２）を満たす。
【０１０６】
図２１に、対物レンズの0.5分の面チルトで発生する収差を、このコリメートレンズを傾けることで、光学系全体の収差を補正する様子を示す。
【０１０７】
対物レンズが0.5分面チルトすることで約0.0252λの波面収差が発生していたが、コリメートレンズを約0.7度傾けることで波面収差は約0.0165λに改善する。また対物レンズが0.5分面チルトすることで約0.0149λの3次コマ収差が発生していたが、コリメートレンズを約0.5度傾けることで3次コマ収差は約0.0005λに改善する。このように、傾けることでコマ収差が発生するコリメートレンズを併せて使用することで、対物レンズの製造誤差を補正することができるため、製造が容易になり、同時に良好な性能を得られるようになる。
【０１０８】
（実施例６）
実施例６の対物レンズ本実施例の対物レンズの第１面は非球面形状である。本実施例の第２面は非球面形状にさらに以下の式７で表される形状を付加したものである。コリメートレンズは第１面、第2面ともに非球面形状である。実施例６の対物レンズは波長４０８ｎｍの青色レーザ光を用いて光情報記録媒体の最表面の記録層に対して情報の記録再生を行う対物レンズである。実施例６のコリメートレンズはレーザ光源から射出する波長４０８ｎｍの青色レーザ光を略平行光にして前記対物レンズに入射させる。
【０１０９】
表６に、実施例６に係る対物レンズおよびコリメートレンズのコンストラクションデータを示す。
【０１１０】
【表６】
2014211921.tif 000014
【０１１１】
【数７】
2014211921.tif 000015
【０１１２】
ここで
Ｒ，θ：第２面の回転対称非球面の中心軸を中心とする極座標（Ｒ，θ）における回転対称非球面上の座標
である。
【０１１３】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【０１１４】
図２２に、実施例６の対物レンズのレンズチルト特性を示す。
【０１１５】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0042λであり、これは式（１）を満たす。
【０１１６】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【０１１７】
図２３に、この対物レンズの面チルト特性を示す。
【０１１８】
実施例６のコリメートレンズはコリメートレンズの第1面から12mm離れた波長４０８ｎｍのレーザ光源からの発散光を対物レンズに対してほぼ平行に入射させるように設計されている。図２４に、このコリメートレンズのレンズチルト特性を示す。
【０１１９】
コリメートレンズの傾きが１度のときに発生する3次コマ収差CMCは0.0609λであり、これは式（２）を満たす。
【０１２０】
図２５に、対物レンズの0.5分の面チルトで発生する収差を、このコリメートレンズを傾けることで、光学系全体の収差を補正する様子を以下に示す。
【０１２１】
対物レンズが0.5分面チルトすることで約0.0287λの波面収差が発生していたが、コリメートレンズを約0.4度傾けることで波面収差は約0.0226λに改善する。また対物レンズが0.5分面チルトすることで約0.0169λの3次コマ収差が発生していたが、コリメートレンズを約0.4度傾けることで3次コマ収差は約0.0020λに改善する。このように、傾けることでコマ収差が発生するコリメートレンズを併せて使用することで、対物レンズの製造誤差を補正することができるため、製造が容易になり、同時に良好な性能を得られるようになる。
【０１２２】
（実施例７）
実施例７の対物レンズ本実施例の対物レンズの第１面は非球面形状である。本実施例の第２面は非球面形状にさらに以下の式７で表される形状を付加したものである。コリメートレンズは第１面、第2面ともに非球面形状である。実施例７の対物レンズは波長４０８ｎｍの青色レーザ光を用いて光情報記録媒体の最表面の記録層に対して情報の記録再生を行う対物レンズである。実施例７のコリメートレンズはレーザ光源から射出する波長４０８ｎｍの青色レーザ光を略平行光にして前記対物レンズに入射させる。
【０１２３】
表7に、実施例７に係る対物レンズおよびコリメートレンズのコンストラクションデータを示す。
【０１２４】
【表７】
2014211921.tif 000016
【０１２５】
【数８】
2014211921.tif 000017
【０１２６】
ここで
Ｒ，θ：第２面の回転対称非球面の中心軸を中心とする極座標（Ｒ，θ）における回転対称非球面上の座標
である。
【０１２７】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【０１２８】
図２６に、実施例７の対物レンズのレンズチルト特性を示す。
【０１２９】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0012λであり、これは式（１）を満たす。
【０１３０】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【０１３１】
図２７に、この対物レンズの面チルト特性を示す。
【０１３２】
実施例７のコリメートレンズはコリメートレンズの第1面から6mm離れた波長４０８ｎｍのレーザ光源からの発散光を対物レンズに対してほぼ平行に入射させるように設計されている。図２８に、このコリメートレンズのレンズチルト特性を示す。
【０１３３】
コリメートレンズの傾きが１度のときに発生する3次コマ収差CMCは0.0395λであり、これは式（２）を満たす。
【０１３４】
図２９に、対物レンズの0.5分の面チルトで発生する収差を、このコリメートレンズを傾けることで、光学系全体の収差を補正する様子を示す。
【０１３５】
対物レンズが0.5分面チルトすることで約0.0295λの波面収差が発生していたが、コリメートレンズを約0.7度傾けることで波面収差は約0.0232λに改善する。また対物レンズが0.5分面チルトすることで約0.0150λの3次コマ収差が発生していたが、コリメートレンズを約0.5度傾けることで3次コマ収差は約0.0003λに改善する。このように、傾けることでコマ収差が発生するコリメートレンズを併せて使用することで、対物レンズの製造誤差を補正することができるため、製造が容易になり、同時に良好な性能を得られるようになる。
【０１３６】
（実施例８）
実施例８の対物レンズ本実施例の対物レンズの第１面は非球面形状である。本実施例の第２面は非球面形状にさらに以下の式８で表される形状を付加したものである。コリメートレンズは第１面、第2面ともに非球面形状である。実施例８の対物レンズは波長４０８ｎｍの青色レーザ光を用いて光情報記録媒体の最表面の記録層に対して情報の記録再生を行う対物レンズである。実施例８のコリメートレンズはレーザ光源から射出する波長４０８ｎｍの青色レーザ光を略平行光にして前記対物レンズに入射させる。
【０１３７】
表8に、実施例８に係る対物レンズおよびコリメートレンズのコンストラクションデータを示す。
【０１３８】
【表８】
2014211921.tif 000018
【０１３９】
【数９】
2014211921.tif 000019
【０１４０】
ここで
Ｒ，θ：第２面の回転対称非球面の中心軸を中心とする極座標（Ｒ，θ）における回転対称非球面上の座標
である。
【０１４１】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【０１４２】
図３０に、実施例８の対物レンズのレンズチルト特性を示す。
【０１４３】
記録媒体の最表面の記録層に対して記録再生を行う場合、記録媒体の傾きによる収差はゼロである。つまり記録媒体の傾きを考慮しなくてよいため、光ピックアップ装置の光軸に対する対物レンズの傾きによる収差の値と、対物レンズの光軸に対する光源の傾きによる収差は等しい。つまり対物レンズの傾きが１度のときに発生する3次コマ収差の発生量CML、１度の軸外光が入射したときに発生する3次コマ収差の発生量CMFはどちらも0.0012λであり、これは式（１）を満たす。
【０１４４】
また記録媒体の最表面の記録層に対して情報の記録再生を行うため、記録媒体が傾いても3次のコマ収差は発生しない。つまり、記録媒体の傾きが１度のときに発生する3次コマ収差の発生量CMDはゼロである。これにより式（３）と式（４）を満たす。
【０１４５】
図３１に、この対物レンズの面チルト特性を示す。
【０１４６】
実施例８のコリメートレンズはコリメートレンズの第1面から12mm離れた波長４０８ｎｍのレーザ光源からの発散光を対物レンズに対してほぼ平行に入射させるように設計されている。図３２に、このコリメートレンズのレンズチルト特性を示す。
【０１４７】
コリメートレンズの傾きが１度のときに発生する3次コマ収差CMCは0.0609λであり、これは式（２）を満たす。
【０１４８】
図３３に、対物レンズの0.5分の面チルトで発生する収差を、このコリメートレンズを傾けることで、光学系全体の収差を補正する様子を示す。
【０１４９】
対物レンズが0.5分面チルトすることで約0.0333λの波面収差が発生していたが、コリメートレンズを約0.4度傾けることで波面収差は約0.0282λに改善する。また対物レンズが0.5分面チルトすることで約0.0171λの3次コマ収差が発生していたが、コリメートレンズを約0.4度傾けることで3次コマ収差は約0.0017λに改善する。このように、傾けることでコマ収差が発生するコリメートレンズを併せて使用することで、対物レンズの製造誤差を補正することができるため、製造が容易になり、同時に良好な性能を得られるようになる。
【０１５０】
（実施例９）
実施例９の対物レンズ、コリメートレンズは第１面、第2面ともに非球面形状である。実施例９の対物レンズは波長４０８ｎｍの青色レーザ光を用いて光情報記録媒体の最表面から0.01mmの厚みのカバー層を介した記録層に対して情報の記録再生を行う対物レンズである。実施例９のコリメートレンズはレーザ光源から射出する波長４０８ｎｍの青色レーザ光を略平行光にして前記対物レンズに入射させる。
【０１５１】
表９に、実施例９に係る対物レンズおよびコリメートレンズのコンストラクションデータを示す。
【０１５２】
【表９】
2014211921.tif 000020
【０１５３】
コリメートレンズの第１面は青色レーザ光源から青色レーザ光が入射する面である。第１面に入射した青色レーザ光は略平行光となって第２面より射出する。コリメートレンズと対物レンズは1mmの間隔で配置される。コリメートレンズの第２面から射出した青色レーザ光は対物レンズの第１面に入射する。対物レンズの第１面に入射した青色レーザ光は第２面より射出し光情報記録媒体上に集光する。
【０１５４】
図３４に、実施例９の対物レンズのレンズチルト特性を示す。
【０１５５】
対物レンズの傾きが１度のときに発生する3次コマ収差の発生量CMLは0.0012λである。
【０１５６】
実施例９では光情報記録媒体の最表面から0.01mmの厚みのカバー層を介した記録層に対して情報の記録再生を行う。よって記録媒体の傾きによっても収差の値が変化するため、対物レンズの傾きが１度のときに発生する3次コマ収差の発生量CMLと１度の軸外光が入射したときに発生する3次コマ収差の発生量CMFの値は異なる。
【０１５７】
図３５に、実施例９の対物レンズに軸外光が入射したときの収差の様子を示す。
【０１５８】
１度の軸外光が入射したときに発生する3次コマ収差の発生量CMFは0.0103λである。
【０１５９】
図３６に、実施例９の対物レンズで記録再生を行う記録媒体が傾いたときの収差の様子を示す。
【０１６０】
記録媒体の傾きが１度のときに発生する3次コマ収差の発生量CMDは0.0115λである。これらより実施例９は式（３）と式（４）を満たす。
【０１６１】
図３７に、この対物レンズの面チルト特性を示す。
【０１６２】
実施例９のコリメートレンズはコリメートレンズの第1面から6mm離れた波長４０８ｎｍのレーザ光源からの発散光を対物レンズに対してほぼ平行に入射させるように設計されている。図３８に、このコリメートレンズのレンズチルト特性を示す。
【０１６３】
コリメートレンズの傾きが１度のときに発生する3次コマ収差CMCは0.0395λであり、これは式（２）を満たす。
【０１６４】
図３９に、対物レンズの0.5分の面チルトで発生する収差を、このコリメートレンズを傾けることで、光学系全体の収差を補正する様子を以下に示す。
【０１６５】
対物レンズが0.5分面チルトすることで約0.0159λの波面収差が発生していたが、コリメートレンズを約0.5度傾けることで波面収差は約0.0066λに改善する。また対物レンズが0.5分面チルトすることで約0.0151λの3次コマ収差が発生していたが、コリメートレンズを約0.5度傾けることで3次コマ収差は約0.0006λに改善する。このように、傾けることでコマ収差が発生するコリメートレンズを併せて使用することで、対物レンズの製造誤差を補正することができるため、製造が容易になり、同時に良好な性能を得られるようになる。
【０１６６】
＜その他の実施形態＞
上述の実施形態では、光ピックアップを１つ使用した場合について説明したが、本発明はこれに限らない。１つの記録媒体に対して複数個の光ピックアップを並べて使用してもよい。
【０１６７】
また、上述の実施形態では、１つの光ピックアップの中に１つの対物レンズを備えた構成について説明したが、本発明はこれに限らない。１つの光ピックアップの中に複数個の対物レンズが設けられていても良い。
【０１６８】
また、上述の実施形態では、波長３８０〜４３０ｎｍの青色レーザ光を出射するレーザ光源例に挙げて説明したが、本発明はこれに限らない。例えば、レーザ光源は、ＤＶＤに用いられるレーザ光源でもよいし、ＣＤに用いられるレーザ光源でもよい。また、青色レーザ光よりも波長が小さい紫外光を出射することができるレーザ光源を用いても良い。このような光源を利用することで、集光スポットがより小さくなるので、記録密度を高めることができる。
【０１６９】
また、対物レンズと記録媒体との間に液状の物質を満たした液浸レンズを用いて、情報の記録、再生、消去等を行っても良い。これにより、対物レンズの開口数を大きくする設計が可能となる。
【０１７０】
また、コリメートレンズや対物レンズなどの光学系を構成する光学部材の材料は、ガラスや樹脂、セラミックなど、使用する波長に対して透過性を有する物質であればよい。
【０１７１】
また、コリメートレンズや対物レンズの表面は球面形状であってもよいし、非球面形状であってもよいし、回折面であってもよい。回折面は、対物レンズの表面全面に形成してもよいし、表面の一部のみ形成してもよい。また、対物レンズの表面は２つ以上の領域に分割されていてもよい。
【０１７２】
また、記録媒体の記録層は１層だけでなく、複数の記録層を重ねた多層構造であってもよい。また、記録媒体の両面に記録層が形成されていてもよい。
【０１７３】
また、記録媒体はテープ状のものに限らない。光ディスクのような円盤状であってもよいし、シート状のものであってもよい。また、円筒形のドラムの表面または内周面に記録層が形成されているようなものでもよい。
【０１７４】
記録媒体にカバー層を設ける場合は、カバー層に用いる材料は樹脂に限らない。使用する波長が透過すればよいので、ガラスでもよい。また、アルミや銀などの金属を使用してもよい。金属を使用する場合はスパッタリングなどで波長が透過する程度に薄く形成するとよい。また、光学部材の反射防止膜に用いられるようなMgF2やSiO2などの無機化合物を用いてもよい。無機化合物を適切な厚みで形成すればカバー層表面からの反射光を抑えることができる。
【産業上の利用可能性】
【０１７５】
本発明は、光により記録媒体に情報を記録・再生あるいは消去を行う光ピックアップに関し、特に、テープ状の記録媒体に適した光ピックアップに関する。
【符号の説明】
【０１７６】
１０  対物レンズ
２０  コリメートレンズ
３０  ビームスプリッタ
４０  光検出器
５０  レーザ光源
１００  光ピックアップ
２００  光テープ
【図１】
2014211921.tif 000021
【図２】
2014211921.tif 000022
【図３】
2014211921.tif 000023
【図４】
2014211921.tif 000024
【図５】
2014211921.tif 000025
【図６】
2014211921.tif 000026
【図７】
2014211921.tif 000027
【図８】
2014211921.tif 000028
【図９】
2014211921.tif 000029
【図１０】
2014211921.tif 000030
【図１１】
2014211921.tif 000031
【図１２】
2014211921.tif 000032
【図１３】
2014211921.tif 000033
【図１４】
2014211921.tif 000034
【図１５】
2014211921.tif 000035
【図１６】
2014211921.tif 000036
【図１７】
2014211921.tif 000037
【図１８】
2014211921.tif 000038
【図１９】
2014211921.tif 000039
【図２０】
2014211921.tif 000040
【図２１】
2014211921.tif 000041
【図２２】
2014211921.tif 000042
【図２３】
2014211921.tif 000043
【図２４】
2014211921.tif 000044
【図２５】
2014211921.tif 000045
【図２６】
2014211921.tif 000046
【図２７】
2014211921.tif 000047
【図２８】
2014211921.tif 000048
【図２９】
2014211921.tif 000049
【図３０】
2014211921.tif 000050
【図３１】
2014211921.tif 000051
【図３２】
2014211921.tif 000052
【図３３】
2014211921.tif 000053
【図３４】
2014211921.tif 000054
【図３５】
2014211921.tif 000055
【図３６】
2014211921.tif 000056
【図３７】
2014211921.tif 000057
【図３８】
2014211921.tif 000058
【図３９】
2014211921.tif 000059